(57)【特許請求の範囲】
【請求項１】
支点部の支柱を９０°可逆的に回転し、シーソーのように、あるいは両側のガイドバーを水平から上あるいは下の同じ方向へと、３分割構成のガイドバー部の傾きや方向を変えながら、ガイドバー部の上面に取付けた複数の小ランプを自動的に順次点灯・消灯し、往復を継続させ、その点灯した小ランプをガイドバー部の姿勢に応じた近接した位置から目線で追うことにより眼筋トレーニングを行い、前記トレーニング終了後は、両側のガイドバーを支柱側に折畳んで装置の占有空間を最小化して収納できる装置において、前記装置は、脚部、支点部、ガイドバー部及び操作箱から成り、脚部は装置を机等の平坦な台上に安定して設置できる脚（１）を持ち、脚上に取付けた支点部には、脚部を動かすことなく垂直軸心に対して９０°可逆的に回転できる機構を持つ支柱（２）を有し、ガイドバー部を支える支点部の上部はガイドバー部がシーソーのように水平から±６０°近傍の範囲で縦方向に搖動することを妨げない構造を成し、又、アゴ受け（１４）と鼻当て（１３）を備え、３分割構成のガイドバー部は、ガイドバーＡ（５）、ガイドバーＢ（６）及びガイドバーＣ（７）の３分割したガイドバーを有し、両側のガイドバーＡ（５）とガイドバーＣ（７）の間には互いに向き合う方向に水平から上方あるいは、下方へ同期回転する為の歯車（８）及び回転機構を内蔵し、中央のガイドバーＢ（６）は固定バーとして、共に連結プレートＡ（３）と連結プレートＢ（４）によって側面から挟むようにガイドバー部の中央部で結合され、各連結プレートの中央側面部で縦方向に搖動する際の回転中心として支点部に支えられ、ガイドバー部の両端にはクッションＡ（１５）と鼻当て兼用のクッションＢ（１６）が装着され、上面には複数のＬＥＤ等に拠る小ランプ（１７）を長手方向に一定間隔で直線状に配置し、操作箱（３３）にはＤＣ電源で小ランプの点灯・消灯やブザー奏鳴等に係る制御機構を内蔵する、装置で、眼筋トレーニングとしては、１．左右水平方向、２．右斜め上から左斜め下及びその逆方向、３．左斜め上から右斜め下及びその逆方向、４．Ｖ字方向、５．逆Ｖ字方向、６．目線の上下方向、７．遠近方向、のトレーニングができることを特徴とする眼筋トレーニング装置。
【請求項２】
点灯ランプの往復回数の表示用カウンタを装備する請求項１の装置。
【発明の詳細な説明】
【技術分野】
【０００１】
この発明は、眼筋の機能の衰えにより視力が低下した人の視力回復・改善の為のトレーニング装置に関するものである。
【０００２】
特願２００４−１７４８３０（公開番号：特開２００５−３２９１８５号公報）の眼筋トレーニング装置は、トレーニング装置としては眼筋の緊張をほぐしてくれる点で優れた長所を持つが、収納性及び屋外等への持ち出しの際、ガイドバーの長さが不便さを感じさせる。更に、「遠近方向」のトレーニングに対しては往復回数を多くすることが効果的であるが、カウント表示器が無いためトレーニング管理に不便さを感じる。
【先行技術文献】
【特許文献】
【０００３】
【特許文献１】特開２００５−３２９１８５号４公報
【発明の開示】
【発明が解決しようとする課題】
【０００４】
特願２００４−１７４８３０の内容では、ガイドバーは指標を移動させるためにも機構的に連続的な構造を必要とするため、その長さが持運びや収納時に場所を取るという不便さを感じさせる。更に、毛様体筋を対象にした「遠近方向」のトレーニングに対しては、他の眼筋トレーニングと比べて、特に往復回数を多くしたトレーニングが必要と感じており、時間に頼る回数管理では不便さを感じる。これらの不便さを解消することを課題とした。
【課題を解決するための手段】
【０００５】
ガイドバー上に１１個のＬＥＤ等による小ランプを一定間隔に設置し、電源スイッチを入れると同時に自動的に点灯・消灯を順次繰り返し、連続的に往復を継続させながら、点灯した小ランプを目線で追う方法により、あたかも往復移動する指標を目線で追うかのごとく、移動指標の方法に準じた眼筋トレーニングを可能とし、また、ガイドバーの構造を３つに分割し、歯車機構を組込むことにより長いガイドバーを左右等角度（対称）にコンパクトに折りたたむことを可能にした。指標を小ランプに置き換え移動機構を無くすことでガイドバー自体の軽量化と保管時の省スペース化が可能となった。更に、一定往復回数毎に繰り上げ表示するカウンタを設置することで、トレーニング管理の容易化が実現できた。
【０００６】
眼筋トレーニング方法としても、歯車機構との組み合わせにより、結果的にV字方向と逆V字方向の新規トレーニング方法を追加することができた。
【０００７】
遠近方向のトレーニングでは、トレーニング中の眠気等により、目が直接ガイドバー端部に当たる危険性を考慮し、先端部には安全のためのクッションを備え、目に危険が及ばないようにする。
【０００８】
ガイドバーの姿勢の切替（トレーニング時のガイドバーの各姿勢を以下の説明では「モード」と称する。）は、可逆回転可能な減速装置内蔵型小型電動機を使用すれば「自動化」も可能ではあるが、費用対効果の面から「手動」でモード切替を行う構造とした。
【発明の効果】
【０００９】
本発明は、特願２００４−１７４８３０の内容とほぼ同等の効果を、一層簡便な方法で引き出すことが可能である上に、トレーニング管理の容易化と収納時の省スペース化の実現に加えて、新規トレーニングモードの追加が実現できた。
【実施例】
【００１０】
本発明の外形図及び使用要領を図１〜図４に、収納時の形状を図５に示す。本装置では、電源に接続後、操作箱３３の電源スイッチを押すことで各ＬＥＤ１７が自動的に、順次点灯・消灯を繰り返し連続的に往復を継続するので、一定往復回数ごとのブザー奏鳴に合せてガイドバーを任意のモードに設定し、各要領図の要領で眼筋のトレーニングを行う。
【００１１】
本発明の主な構成は、脚部、支点部、ガイドバー部及び操作箱からなり、以下に実施例の構成の詳細について記述する。
【００１２】
脚部は脚１のみで構成され、本装置を平坦な面に安定して設置するためのもので、支点部の支柱２との連絡の為のねじ部と支点部を９０度回転させる時のストッパーが一体構造と成っている。（図６参照）
【００１３】
支点部は、最下部には脚１と連結する為のネジキャップ２１と９０度回転時の位置決めピース１９及びセットネジ２０が取り付く。その上部に、ガイドバー収納時の受け部が支柱と一体構造で構成されるが、その間には、ガイドバー開放の為のレバー１８、復元バネ２２及び押し板２３が組み込まれる（図８参照）。これらは、セットネジ２０を取り付ける前に組み込まれる。レバー１８を押し下げることで、ガイドバーＡ５、ガイドバーＣ７に設けたリング２６を押し板２３で左右に押し広げ、受け部を開放しガイドバーＡ、Ｃが開けられるようになる。支柱部の中央には操作箱３３取付用座を設け、上部には、アゴ受け座が一体構造と成り、アゴ受け１４が取り付く。又、上面にはガイドバー部を支える支点Ａ１０、支点Ｂ１１がコネジにより取り付けられ、玉軸受９が組み込まれる。又、支点Ａ１０の前面には、鼻当て１３が取り付けられ、支点Ｂ１１側には、カウンタ３４及び電気配線用カバー３５が取り付けられる。
【００１４】
ガイドバー部は、ガイドバーＡ５、ガイドバーＢ６、ガイドバーＣ７、連結プレートＡ３、連結プレートＢ４、ＬＥＤ１７、ＬＥＤ取付座Ａ３０、ＬＥＤ取付座Ｂ３１、ＬＥＤ取付座Ｃ３２、保護用クッションＡ１５、クッションＢ１６、歯車８、プランジャ１２及び小物締結部品からなる。
【００１５】
ガイドバーＡ５及びガイドバーＣ７には、折畳み時の回転軸と、歯車８と噛合う歯が一体構造となり、連結プレートＡ３及び連結プレートＢ４とそれぞれ小物締結部品で結合されている。歯車８は、小物締結部品により連結プレートＡ３の内側に取り付けられる。又、連結プレートＡ３及び連結プレートＢ４には、モード切替時のガイドバー全体を傾けるための回転用軸がそれぞれ一体構造と成っており、軸は玉軸受９にはめ込まれる。軸部には配線取り出し用穴を設けている。
【００１６】
ガイドバーＢ６は、連結プレートＡ３及び連結プレートＢ４の間にあって、連結プレートＢ４の中央部に小物締結部品で固定され、ＬＥＤ取付座Ｂ３１、ＬＥＤ１７が取付けられる。
【００１７】
各ＬＥＤには、文字・記号（Ａ、Ｂ、Ｃ、Ｘ、◎、☆、ランドルト環、カタカナ、ひらがな、漢字等から任意に選定）等を表示した光を拡散させるための透過性カバーやテープ等を装着し、ＬＥＤを真上から直視した時の目を保護すると共に、点灯のタイミングに合してそれらの表示を認識しょうと努めることで眼筋トレーニングを効果的ならしめる。
【００１８】
プランジャ１２によってガイドバーの傾きは１５°ピッチで位置がセットできる構造となっており、モードは±６０度の範囲で切替を可能とする（図９参照）。
【００１９】
遠近方向のモードでは、ＬＥＤ同士が目線上で重ならないように、ガイドバーＡ５とガイドバーＣ７を水平から４〜５°程度Ｖ字型に角度を起こし、連結プレート３、４を図３のごとく１５度回転してトレーニングを行う。カウンタ３４は遠近方向トレーニングの為に用意してあり、操作箱３３に取り付けたリセットボタンを押してカウントを０に戻して始めることもできる。１５往復毎に１繰り上がるようにプログラムしてあり、９９回までカウントできる。
【００２０】
V字型及び逆V字型モードのトレーニングは、ガイドバーを図４のようにセットして行うことができる。
【００２１】
操作箱３３は、ＤＣ電源コネクタ、照光式電源スイッチ、カウントリセットスイッチ、制御基板、ブザー及び小物部品からなる。
操作は、ＤＣ電源を接続し、まず、ガイドバーを水平にした後、照光式電源スイッチを押す。ＬＥＤは順次点灯・消灯を繰り返し、ガイドバー両端での折り返し毎に単音の電子音を奏で、５往復目と１０往復目には単音３回の電子音を奏鳴し、１５往復目ではモード変更の合図も兼ねて、５往復毎と同じ単音３回分を１回として３回連続で奏鳴する。この１５往復毎に、ガイドバーの姿勢を手動で変更し、モードの切替を行う。
【００２２】
本トレーニング装置の収納時は、図５のように折畳み、ＬＥＤ保護の為、保護カバーＡ３６、保護カバーＢ３７を取付ける。
【図面の簡単な説明】
【００２３】
【図１】（ａ）正面図  左右水平、斜め上下方向の眼筋トレーニングの要領図（ｂ）側面図  左右水平、斜め上下方向の眼筋トレーニングの要領図
【図２】側面図  目線の上下方向の眼筋トレーニングの要領図
【図３】側面図  遠近方向の眼筋トレーニングの要領図
【図４】（ａ）正面図  Ｖ字方向の眼筋トレーニングの要領図（ｂ）正面図  逆Ｖ字方向の眼筋トレーニングの要領図
【図５】正面図  収納の要領図
【図６】支柱回転部の詳細図
【図７】ガイドバー折畳み機構の歯車配置詳細図
【図８】ガイドバー収納時の止め及び解放部の機構詳細図
【図９】支点上部詳細図
【符号の説明】
【００２４】
１    脚
２    支柱
３    連結プレートＡ
４    連結プレートＢ
５    ガイドバーＡ
６    ガイドバーＢ
７    ガイドバーＣ
８    歯車
９    玉軸受
１０  支点Ａ
１１  支点Ｂ
１２  プランジャ
１３  鼻当
１４  アゴ受け
１５  クッションＡ
１６  クッションＢ
１７  ＬＥＤ
１８  レバー
１９  位置決めピース
２０  セットネジ
２１  ネジキャップ
２２  復元バネ
２３  押し板
２４  ピンＡ
２５  Ｃ形トメワＡ
２６  リング
２７  ピンＢ
２８  Ｃ形トメワＢ
３０  ＬＥＤ取付座Ａ
３１  ＬＥＤ取付座Ｂ
３２  ＬＥＤ取付座
３３  操作箱
３４  カウンタ
３５  電気配線用カバー
３６  保護カバーＡ
３７  保護カバーＢ
【図１】
0005258095.tif 000002
【図２】
0005258095.tif 000003
【図３】
0005258095.tif 000004
【図４】
0005258095.tif 000005
【図５】
0005258095.tif 000006
【図６】
0005258095.tif 000007
【図７】
0005258095.tif 000008
【図８】
0005258095.tif 000009
【図９】
0005258095.tif 000010